(57)【要約】【課題】脊椎その他の身体の部分の歪みを矯正するための体操を行う際にその効果を向上させる健康用具を提供する。【解決手段】健康用具１は、蒲鉾形の弾性部１１を備えている。弾性部１１の上面には、弾性部１１の長手方向に平行な稜線に沿って、当該長手方向に垂直な断面における外縁が凹に湾曲している溝Ｄ１が設けられている。弾性部１１の下面には、弾性部１１の長手方向に沿って、当該長手方向に垂直な断面における外縁が凹に湾曲している溝Ｄ２が設けられている。溝Ｄ１および溝Ｄ２が設けられていることにより、健康用具１の上に仰向けになって乗ったユーザの脊椎が適度に左右から挟み込まれるようにホールドされるとともに、当該脊椎と健康用具１との小さなズレが吸収解消される。この状態のユーザが様々な体操を行なうことにより、脊椎を中心とした身体の歪みを矯正することができる。【選択図】図１
2013116201.tif 000002
【特許請求の範囲】
【請求項１】
蒲鉾形の弾性部を備え、
前記弾性部の蒲鉾形の凸に湾曲している面を上として床の上に配置した場合における当該凸に湾曲している面を上面とし、前記床に対向する面を下面とするとき、
前記上面には、前記弾性部の長手方向に平行な稜線に沿って、少なくとも前記長手方向における一の端部から前記長手方向の途中もしくは前記一方の端部とは反対側の他の端部までの範囲において、前記長手方向に垂直な断面における外縁が凹に湾曲している溝が設けられている
健康用具。
【請求項２】
前記溝は、前記長手方向の前記一の端部から前記他の端部に向けて徐々に深さが浅くなっている
請求項１に記載の健康用具。
【請求項３】
前記下面には、前記長手方向に沿って、少なくとも前記長手方向における前記一の端部と同じ側の端部から前記長手方向の途中もしくは前記他の端部と同じ側の端部までの範囲において、前記長手方向に垂直な断面における外縁が、少なくとも前記長手方向に垂直な方向における所定の範囲において、凹に湾曲している溝が設けられている
請求項１または２に記載の健康用具。
【請求項４】
前記下面に設けられている溝は、前記長手方向の前記一の端部と同じ側の端部から前記他の端部と同じ側の端部に向けて徐々に深さが浅くなっている
請求項３に記載の健康用具。
【請求項５】
蒲鉾形の弾性部を備え、
前記弾性部の蒲鉾形の凸に湾曲している面を上として床の上に配置した場合における当該凸に湾曲している面を上面とし、前記床に対向する面を下面とするとき、
前記上面には、前記弾性部の長手方向に平行な稜線に沿って、前記長手方向における一の端部から前記一の端部とは反対側の他の端部までの範囲内の前記長手方向の中心を含むいずれかの領域において、前記長手方向に垂直な断面における外縁が凹に湾曲している溝が設けられており、
前記上面に設けられた溝は、前記長手方向の中心部から前記一の端部および前記他の端部に向かって、徐々に深さが浅くなっている
健康用具。
【請求項６】
前記下面には、前記長手方向に沿って、前記長手方向における一の端部から前記一の端部とは反対側の他の端部までの範囲内の前記長手方向の中心を含むいずれかの領域において、前記長手方向に垂直な断面における外縁が、少なくとも前記長手方向に垂直な方向における所定の範囲内において、凹に湾曲している溝が設けられており、
前記下面に設けられた溝は、前記長手方向の中心部から前記一の端部および前記他の端部に向かって、徐々に深さが浅くなっている
請求項５に記載の健康用具。
【請求項７】
表面がシボ加工されている
請求項１乃至６のいずれかに記載の健康用具。
【発明の詳細な説明】
【技術分野】
【０００１】
本発明は、例えば体操もしくは運動に用いる健康用具に関する。
【背景技術】
【０００２】
本発明の発明者は、既存の整体やカイロプラクティックとは異なる体の矯正法、具体的には筋肉に刺激を与えることによって体全体の歪みをとる運動療法を提供している。この特有の運動には、本発明の発明者自身が考案した特許文献１に開示される運動補助器具を用いたものも含まれる。
【０００３】
また、特許文献２に開示される健康用具は、２本の平行な棒の間の溝部にユーザの身体を挟み込むことで、股関節、背骨、肩甲骨などをほぐして、当該ユーザの均整のとれた姿勢を実現し、また運動能力の向上が図れるとしている。
【先行技術文献】
【特許文献】
【０００４】
【特許文献１】実登３１５３６３６号公報
【特許文献２】特開２００６−５１２９８号公報
【発明の概要】
【発明が解決しようとする課題】
【０００５】
本発明の発明者は、脊椎そのものに働きかけることで体の歪みを矯正する運動方法を開発した。
【０００６】
しかしながら、特許文献１に開示される運動補助器具は、ユーザの頸部を載置することにより脊椎を牽引して体の歪みを矯正するものであるが、脊椎そのものに働きかけて体の歪みを矯正する運動方法に用いることは想定されていない。
【０００７】
同様に、特許文献２に開示される健康用具は、２本の平行な棒の間に上、下半身を挟み込み、その状態で様々な体操を行なうことが想定されているが、脊椎そのものに対するアプローチを行うことは想定されていない。
【０００８】
上記の事情に鑑み、本発明は、脊椎その他の身体の部分の歪みを矯正するための体操を行う際にその効果を向上させる健康用具を提供することを目的とする。
【課題を解決するための手段】
【０００９】
本発明は、上記の目的に鑑みて想到されたものであり、
蒲鉾形の弾性部を備え、
前記弾性部の蒲鉾形の凸に湾曲している面を上として床の上に配置した場合における当該凸に湾曲している面を上面とし、前記床に対向する面を下面とするとき、
前記上面には、前記弾性部の長手方向に平行な稜線に沿って、少なくとも前記長手方向における一の端部から前記長手方向の途中もしくは前記一方の端部とは反対側の他の端部までの範囲において、前記長手方向に垂直な断面における外縁が凹に湾曲している溝が設けられている
健康用具を提供する（第１の実施態様）。
【００１０】
また、上記の第１の実施態様において、
前記溝は、前記長手方向の前記一の端部から前記他の端部に向けて徐々に深さが浅くなっている
構成を採用してもよい（第２の実施態様）。
【００１１】
また、上記の第１または２の実施態様において、
前記下面には、前記長手方向に沿って、少なくとも前記長手方向における前記一の端部と同じ側の端部から前記長手方向の途中もしくは前記他の端部と同じ側の端部までの範囲において、前記長手方向に垂直な断面における外縁が、少なくとも前記長手方向に垂直な方向における所定の範囲において、凹に湾曲している溝が設けられている
構成を採用してもよい（第３の実施態様）。
【００１２】
また、上記の第３の実施態様において、
前記下面に設けられている溝は、前記長手方向の前記一の端部と同じ側の端部から前記他の端部と同じ側の端部に向けて徐々に深さが浅くなっている
構成を採用してもよい（第４の実施態様）。
【００１３】
また、本発明は、
蒲鉾形の弾性部を備え、
前記弾性部の蒲鉾形の凸に湾曲している面を上として床の上に配置した場合における当該凸に湾曲している面を上面とし、前記床に対向する面を下面とするとき、
前記上面には、前記弾性部の長手方向に平行な稜線に沿って、前記長手方向における一の端部から前記一の端部とは反対側の他の端部までの範囲内の前記長手方向の中心を含むいずれかの領域において、前記長手方向に垂直な断面における外縁が凹に湾曲している溝が設けられており、
前記上面に設けられた溝は、前記長手方向の中心部から前記一の端部および前記他の端部に向かって、徐々に深さが浅くなっている
健康用具を提供する（第５の実施態様）。
【００１４】
また、上記の第５の実施態様において、
前記下面には、前記長手方向に沿って、前記長手方向における一の端部から前記一の端部とは反対側の他の端部までの範囲内の前記長手方向の中心を含むいずれかの領域において、前記長手方向に垂直な断面における外縁が、少なくとも前記長手方向に垂直な方向における所定の範囲内において、凹に湾曲している溝が設けられており、
前記下面に設けられた溝は、前記長手方向の中心部から前記一の端部および前記他の端部に向かって、徐々に深さが浅くなっている
構成を採用してもよい（第６の実施態様）。
【００１５】
また、上記の第１乃至６のいずれかの実施態様において、
表面がシボ加工されている
構成を採用してもよい（第７の実施態様）。
【発明の効果】
【００１６】
本発明の第１の実施態様にかかる健康用具によれば、蒲鉾形の弾性部の上面の長手方向に脊椎を嵌め込む溝を備えているので、ユーザの脊椎を中心とした身体の歪みを矯正することができる。より具体的には、当該健康用具は、ユーザが仰向けに健康用具の上に乗って様々な体操を行なうことにより、背中（肩甲骨）、股関節周りのストレッチのため、肩こりや腰痛などの解消、予防のため、身体全体のリラックスのため、筋力トレーニングのため、姿勢矯正、姿勢維持、姿勢の安定のため、深層部にある筋群、関節を緩めて骨格を整えるため、股関節周囲筋、骨盤周囲筋、および腰背部のストレッチのため、脊椎生理湾曲の改善のため、脊椎（背骨）の歪みや捻れの解消のため、および姿勢矯正（反り腰や猫背の解消）のためなどに有効である。
【００１７】
また、本発明の第２の実施態様にかかる健康用具によれば、弾性部の上面の溝が長手方向の一の端部から他の端部に向けて徐々に深さが浅くなっているので、通常の身体における脊椎のカーブによりフィットし、上述の効果をより有効に得ることができる。
【００１８】
また、本発明の第３の実施態様にかかる健康用具によれば、弾性部の下面の長手方向に溝を備えているので、ユーザが仰向けに健康用具の上に乗って様々な体操を行なう際に、ユーザの身体と健康用具との間の小さなズレを吸収解消し、また上からの荷重がかかることにより弾性部の上面に設けられた溝の幅が狭まり、適度に脊椎がホールドされ、上述の効果をより有効に得ることができる。
【００１９】
また、本発明の第４の実施態様にかかる健康用具によれば、弾性部の下面に設けられている溝が長手方向の一の端部と同じ側の端部から他の端部と同じ側の端部に向けて徐々に深さが浅くなっているので、ユーザの胸部裏側についてはフィット性を高めるとともに、腰部側については上下の両溝の湾曲加工が減少されて高反発加工となり、ユーザの仰向けになった状態での重心が自重（体重）により沈み込むことを防止し、股関節周囲筋、骨盤周囲筋、および腰背部のストレッチ性をより高めることができる。
【００２０】
また、本発明の第５の実施態様にかかる健康用具によれば、上述の上面の溝の形状が適切に設定されているので、ユーザが仰向けになって健康用具の上に乗った場合に、当該ユーザは健康用具を胸椎部の湾曲に無理なく自然に沿わせることができ、いわゆる体圧分散による姿勢矯正効果を促進することができる。
【００２１】
また、本発明の第６の実施態様にかかる健康用具によれば、上述の下面の溝の形状が適切に設定されているので、ユーザの身体と健康用具との間のズレを吸収解消し、また上からの荷重がかかることにより弾性部の上面に設けられた溝の幅が狭まり、適度に脊椎がホールドされ、上述の第５の実施態様の効果をより有効に得ることができる。
【００２２】
また、本発明の第７の実施態様にかかる健康用具によれば、弾性部の表面がシボ加工されているので、デザイン面、機能面、および環境面で優れているとともに、弾性部の表面積を大きくしユーザの汗を吸収するという効果が高められる。
【図面の簡単な説明】
【００２３】
【図１】図１は、本発明の一具体例である実施例にかかる健康用具の左側面図および右側面図である。
【図２】図２は、本発明の一具体例である実施例にかかる健康用具の正面図、平面図、および底面図である。
【図３】図３は、本発明の一具体例である別の実施例にかかる健康用具の正面図、平面図、および底面図である。
【図４】図４は、本発明の一具体例である別の実施例にかかる健康用具を他の健康用具と組み合わせた場合の使用例を説明する概略図である。
【図５】図５は、本発明の一具体例である実施例の変形例にかかる健康用具の左側面図および右側面図である。
【図６】図６は、本発明の一具体例であるさらに別の実施例にかかる健康用具の正面図、平面図、および底面図である。
【図７】図７は、本発明の一具体例であるさらに別の実施例にかかる健康用具の断面図および右側面図である。
【発明を実施するための形態】
【００２４】
（第１実施例）
以下、本発明の一具体例である実施例について、図面を用いて説明する。
【００２５】
図１は、本実施例にかかる健康用具１の左側面図および右側面図である。
【００２６】
図２は、健康用具１の正面図、平面図、および底面図である。なお、背面図は正面図と左右対称であり、その図示を省略している。また、図２において、点線で描かれているラインは後述する溝により生じる稜線を示している。
【００２７】
なお、以下の説明における健康用具１の左右は、図１および図２における左右を意味するものとする。
【００２８】
健康用具１は、全体として蒲鉾形の弾性部１１を備えている。なお、ここで言う蒲鉾形には、半円柱形状だけではなく、後述するように半円柱形状に対し溝を設けたり、角部を丸めたり、湾曲する部分を設けたりして形成される形状も含まれるものとする。
【００２９】
図１に示されるように、弾性部１１の高さは例えば７６ミリメートルであり、弾性部１１の長手方向と垂直な方向の幅は例えば１４０ミリメートルである。
【００３０】
弾性部１１は、ウレタンフォームからできており、インテグラルスキンフォーム成形により成形される。インテグラルスキンフォーム成形とは、一度のウレタン注入で耐久性の高い表面層（スキン層）とクッション性を持つコア層とを同時に併せ持つことができるウレタンフォームの成形方法である。この成形方法により成形されることにより、弾性部１１は、優れた耐久性および耐摩耗性を持つ。
【００３１】
また、弾性部１１は、上述のインテグラルスキンフォーム成形により成形されると同時に、表面にシボ加工がなされている。シボ加工とは、プラスチックを加工する際に、成形表面にデザイン模様として、革、梨地、木目、布目などを付ける加工をいう。
【００３２】
シボ加工が施されていることにより、弾性部１１はデザイン面で優れているだけでなく、傷に対して強く、また滑りにくいという機能面で優れており、さらに、成形品の表面に塗装を必要としないという意味で環境面においても優れている。
【００３３】
また、本実施例においては、弾性部１１の表面をシボ加工することによって、弾性部１１の表面積が大きくなり、ユーザの汗の吸収性が高まる、という効果も得られる。
【００３４】
以下、弾性部１１の形状についての詳細な説明を行なう。なお、本願において、弾性部１１の蒲鉾形の凸に湾曲している面を上として床の上に配置した場合における当該凸に湾曲している面を上面とし、当該床に対向する面を下面とする。
【００３５】
弾性部１１の上面には、弾性部１１の長手方向に平行な稜線に沿って、当該長手方向に垂直な断面における外縁が凹に湾曲している溝Ｄ１が設けられている。
【００３６】
溝Ｄ１は、弾性部１１の長手方向の右側の端部から左側の端部に向かって、徐々に深さが浅くなっている。
【００３７】
溝Ｄ１の最も深いところ（すなわち、弾性部１１の長手方向における右側の端部）での深さは、例えば１５ミリメートルである。また、弾性部１１の右側の端部において溝Ｄ１の外縁が形成する曲線は、例えば半径３７ミリメートルの略半円であり、当該略半円の両端部と弾性部１１の側面とが交わる部分（角部）の外縁は各々半径２０ミリメートルの円弧曲線形状を描くように丸められている。
【００３８】
図２に示されるように、弾性部１１の長手方向の長さは、例えば８００ミリメートルである。弾性部１１を長手方向に垂直な方向から見た場合の上面および下面と右側および左側の側面とが交わる部分（角部）の外縁は、半径１０ミリメートルの円弧曲線を描くように丸められている。
【００３９】
図１および図２に示されるように、溝Ｄ１は弾性部１１の長手方向の右端で最も深くなっており、当該長手方向の左端では弾性部１１の上面と一体化し、溝が消滅する構成をなしている。
【００４０】
そして、溝Ｄ１は長手方向の右端と左端とを繋くラインが略直線となるように形成されている。
【００４１】
ユーザが運動を行なう際には、後述するようにこの溝Ｄ１に当該ユーザの脊椎を嵌め込むようにして、健康用具１を用いる。溝Ｄ１が脊椎のガイドとなることにより、ユーザは健康用具１に姿勢を合わせやすいという利点がある。
【００４２】
弾性部１１の下面には、弾性部１１の長手方向に沿って、当該長手方向に垂直な断面における外縁が凹に湾曲している溝Ｄ２が設けられている。
【００４３】
溝Ｄ２は、弾性部１１の長手方向の右側の端部から左側の端部に向かって、徐々に深さが浅くなっている。
【００４４】
溝Ｄ２の最も深いところでの深さは、例えば１５ミリメートルである。また、弾性部１１の右側の端部において溝Ｄ２の外縁が形成する曲線は、例えば半径２３４ミリメートルの円弧状曲線であり、当該円弧状曲線の両端部と弾性部１１の側面とが交わる部分（角部）の外縁は各々半径２０ミリメートルの円弧状曲線を描くように丸められている。
【００４５】
図１および図２に示されるように、溝Ｄ２は弾性部１１の長手方向の右端で最も深くなっており、当該長手方向の左端では弾性部１１の下面と一体化し、溝が消滅する構成をなしている。
【００４６】
そして、溝Ｄ２は長手方向の右端と左端とを繋くラインが略直線となるように形成されている。
【００４７】
溝Ｄ２は、ユーザが身体を健康用具１に合わせる際に、ちょっとしたズレを吸収するアブソーバーとしての役割を果たす。また、溝Ｄ２があることによって、健康用具１は、ユーザの体重のような荷重が上からかかると、溝Ｄ２の幅が拡がるとともに溝Ｄ１の幅が狭まり、溝Ｄ１の壁面が適度に当該ユーザの脊椎を左右から挟み込むようにホールドする。
【００４８】
弾性部１１の長手方向における右側は溝Ｄ１および溝Ｄ２の深さが深くなっている。ユーザは、溝Ｄ１および溝Ｄ２の深さが深くなっている弾性部１１の長手方向における右側に頸部側が来るように、そして溝Ｄ１および溝Ｄ２の深さが浅くなっている弾性部１１の長手方向における左側に腰部側が来るように、その身体を弾性部１１の上に載置する。その際、頸部側の脊椎が溝Ｄ１の壁面によりホールドされる。
【００４９】
一方、腰部側の脊椎は、腰部に近づくに従い、溝Ｄ１の壁面によるホールドは弱くなり、それに代えて、弾性部１１により沈み込むことなくしっかりと支持される。そのため、弾性部１１の上においてユーザが体操を行う際、股関節、骨盤周囲筋、および腰背部がしっかりとストレッチされる。
【００５０】
以下、本実施例にかかる健康用具１の使用方法の一例について説明する。
【００５１】
体育館などの適切な場所において、弾性部１１の上面を上側にすると同時に下面を下側にして健康用具１を床に配置する。
【００５２】
ユーザは、弾性部１１における上面の長手方向の右側の上に頸部側の脊椎を載せ、当該長手方向の左側の上に腰部側の脊椎を載せられるように弾性部１１に対する身体の位置および方向を合わせる。
【００５３】
そして、ユーザは仰向けになりながら、先ず腰部側の脊椎を健康用具１の上に乗せ、次に身体を後側に倒しつつ頸部側の脊椎を溝Ｄ１に嵌め込む。この場合、仰向けになったユーザの重心位置は、第２脊椎（骨盤の中心、仙骨周辺）にあるため、その部位に当たる箇所を健康用具１の高反発加工部分の上に載置することにより、ユーザの身体が健康用具１の上で安定する。そして、上述のように、股関節などのストレッチ性を高めることができる。
【００５４】
そうすると、上述のように、溝Ｄ２がユーザの体重を受けて変形し、溝Ｄ１がユーザの脊椎を左右から挟み込むようにホールドする。この場合、脊椎を直線的に挟み込むことが可能となるため、歪んだ脊椎（背骨）を真っ直ぐに矯正することができる。
【００５５】
より具体的な運動方法としては、ユーザが仰向けになって健康用具１の上に乗った状態で、両腕を広げたり、股関節を広げるようにしたり、手を前へ動かしてぐるぐる回したり、脚を前後に動かしたりすることで、上述した効果を高めることができる。
【００５６】
また、第三者が上述したユーザの運動を介助することによっても、上述した効果を高めることができる。
【００５７】
（第２実施例）
以下、本発明の別の一具体例である実施例について、図面を用いて説明する。なお、本実施例の説明においては、上述の第１実施例と異なる点を中心に記述する。
【００５８】
図３は、健康用具２の正面図、平面図、および底面図である。
【００５９】
健康用具２は、全体として蒲鉾形の弾性部２１を備えている。
【００６０】
図３に示されるように、弾性部２１の上面の溝Ｄ３は、弾性部２１の長手方向に平行な稜線に沿って、弾性部２１の長手方向の一の端部から当該一の端部とは異なる他の端部までの範囲内において、両端部の若干内側から始まる領域に設けられている。すなわち、当該両端部は上に向かって凸に成形されており、両端部自体が溝Ｄ３を形成してはいない。
【００６１】
また、弾性部２１の上面の溝Ｄ３は、弾性部２１の長手方向における中心部分において溝Ｄ３の断面の外縁が最も深い凹の湾曲（すなわち、溝）を形成しており、当該中心部分から両端部に向かって徐々に凹の湾曲の深さが浅くなっている。
【００６２】
また、弾性部２１の下面の溝Ｄ４は、弾性部２１の長手方向に沿って、弾性部２１の長手方向の一の端部から当該一の端部とは異なる他の端部までの範囲内において、両端部の若干内側から始まる領域に設けられている。すなわち、当該両端部は下線部が床に接触可能なように当該下線部が直線部分を形成するように成形されており、両端部自体が溝Ｄ４を形成してはいない。
【００６３】
また、弾性部２１の下面の溝Ｄ４は、弾性部２１の長手方向における中心部分において溝Ｄ４の断面の外縁が最も深い凹の湾曲（すなわち、溝）を形成しており、当該中心部分から両端部に向かって徐々に凹の湾曲の深さが浅くなっている。
【００６４】
また、弾性部２１の長手方向の長さは、第１実施例における弾性部１１の長手方向の長さが８００ミリメートルであるのに対して、例えば４００ミリメートルである。
【００６５】
以上のような構成を有することにより、健康用具２は、健康用具１とは異なる効果を有する。より具体的には、健康用具２の長手方向の長さを短くし、また溝Ｄ３および溝Ｄ４の形状を変えたことにより、ユーザは仰向けになって健康用具２の上に乗った時、健康用具２を当該ユーザ胸椎部の湾曲に無理なく自然に沿わせることができ、いわゆる体圧分散による姿勢矯正効果を促進することができる。
【００６６】
次に、健康用具２の使用方法の一例について、簡単に説明する。
【００６７】
図４は、第２実施例にかかる健康用具２を他の健康用具と組み合わせた場合の使用例を説明する概略図である。図中においてユーザの胸椎に接触しているのが、健康用具２である。
【００６８】
ここでは、健康用具２を他の健康用具と組み合わせることによって、ユーザの姿勢を矯正する効果を高めることができる。
【００６９】
（第３実施例）
以下、本発明のさらに別の一具体例である実施例について、図面を用いて説明する。なお、本実施例の説明においては、上述の第１および第２実施例と異なる点を中心に記述する。
【００７０】
図６は、健康用具３の正面図、平面図、および底面図である。また、図７は、健康用具３のピークＡ断面図および右側面図である。なお、図７の中におけるピークＡとは、健康用具３を床の上に配置した状態で、健康用具３の長手方向の中心辺りから左側方辺りまでの領域において最も上端が高くなっている位置であり、ピークＢとは、同様に健康用具３を床の上に配置した状態で、健康用具３の長手方向の中心辺りから右側方辺りまでの領域において最も上端が低くなっている位置である。
【００７１】
健康用具３は、全体として蒲鉾形の弾性部３１を備えている。なお、上述したように、ここで言う蒲鉾形には湾曲する部分を設けるなどして一見蒲鉾形に見えないものも含まれるものとする。
【００７２】
図６の正面図に示されるように、弾性部３１は、右側方に半円形の枕のような突出部を有している。この突出部は、後述するようにユーザの頚椎を矯正するために設けられている部分である。そして、健康用具３を床の上に配置した状態で、弾性部３１は、図中のピークＢからピークＡに行くにしたがって滑らかに上端部が高くなっており、さらに図中のピークＡから左側方に行くにしたがって滑らかに上端部が低くなっている。
【００７３】
図６の正面図に示される点線は、弾性部３１の上面の溝Ｄ５および下面の溝Ｄ７により生じる稜線を表している。そして、溝Ｄ５は、弾性部３１の左側端部から例えば８センチ右側に行った位置から始まり、ピークＡおよびピークＢを通り過ぎて上述の突出部をぐるりと周り込むようにして弾性部３１の右側端部（底部）へと至っている。
【００７４】
溝Ｄ５における弾性部３１の長手方向と垂直な方向の幅は、図６の平面図に示されている。図に示されるように、溝Ｄ５の当該幅は、左側方部から上述の突出部が始まる辺りまでは、上述の第１および第２実施例の溝Ｄ１および溝Ｄ３の幅と同じ程度の長さであるが、上述の突出部が始まる辺りから当該突出部の上端部に至るまでは滑らかに広がり、当該上端部から右側端部（底部）に至るまでは上述の左側方付近の幅よりも２．５倍程度の長さに広がったままの状態になっている。溝Ｄ５の幅が右側方において広がっているのは、使用時においてユーザの頚部をしっかりとホールドさせるためである。
【００７５】
そして、溝Ｄ５の底面には、左側から見て、上述の突出部が始まる辺りから右側端部（底部）に至るまでの領域において、上述の左側方付近の溝Ｄ５の幅よりも０．５倍程度に狭まっている幅を有する小さな溝Ｄ６が設けられている。
【００７６】
以上のような構成を有することにより、使用の際にユーザは、仰向けになって健康用具３の上に乗ると、ユーザの腰椎が弾性部３１の上述の左側方の溝Ｄ５に挟み込まれ、ユーザの頚椎が弾性部３１の右側方の溝Ｄ６に挟み込まれ、ユーザの脊椎全体が当該脊椎の長手方向に牽引されて、歪んだ脊椎（腰椎および頚椎を含んでいる）を真っ直ぐに矯正することができる。
【００７７】
また、図６の正面図および底面図に示されるように、上述の第１および第２の実施例と同様に、弾性部３１の下面には溝Ｄ７が設けられており、上からの荷重を受けると溝７の湾曲が変形し、溝Ｄ５に挟み込まれている腰椎を左右からホールドし、上述の効果を高めることができる。
【００７８】
図６の正面図に示されるように、上述の突出部を正面から見ると、弾性部３１（すなわち、突出部）の底面に半円を前後方向にくり抜いたような溝が設けられている。そして、図７の右側面図に示されるように、健康用具３を右側から見ると、底部にやはり右側方部から左方向へ向かう溝が設けられており、当該溝と上述の半円をくり抜いたような溝とは繋がっている。そこで、これらの互いに連結されている溝を溝８と呼ぶことにする。
【００７９】
溝８は、弾性部３１における上述の底部の前後方向をくり抜いているような部分を有することによって、上からの荷重の軽重により、ユーザの頚部が接触する部分の湾曲を変化させることができる。この湾曲は、弾性部３１の長手方向の湾曲である。すなわち、この湾曲が存在することによって、健康用具３の使用時において、ユーザの頚部が健康用具３に対してよりフィットするという効果をもたらす。より具体的には、ユーザは、体重の重いユーザであればより大きな湾曲が得られるとともに、体重の軽いユーザであればより小さな湾曲が得られるといった、ユーザの体重差による弾性部３１における長手方向の湾曲の調整機能を得ることができる。
【００８０】
また、溝８は、弾性部３１における上述の底部の右側方部から左側に向かって設けられている溝部分を有することによって、健康用具３の使用時に頚椎をホールドする効果をもたらすことができる。すなわち、この溝部分が存在することによって、ユーザが仰向けになって健康用具３の上に乗った際に、上方からの荷重がかかることにより当該溝部分の湾曲が変形するので、溝６に嵌り込んだユーザの頚椎を左右から挟み込むようにホールドし、歪んだ頚椎をより効果的に矯正することができる。
（変形例）
上述した実施例群は、本発明の技術的思想の範囲内で様々に変形が可能である。
【００８１】
まず、健康用具１の各構成要素を特定する数値、形状、素材、個数、位置などはあくまでも一例であって、特に問題がなければその他の数値、形状、素材、個数、位置などが用いられてもよい。
【００８２】
例えば、溝Ｄ１は、弾性部１１の長手方向における右側の端部から左側の端部に向かって徐々に深さが浅くなっているものとしたが、本発明はこれによって限定されるものではない。
【００８３】
したがって、溝Ｄ１は、上述の長手方向の全域において同一サイズの断面形状を有するものであってもよい。すなわち、この場合、溝Ｄ１は弾性部１１の長手方向における上面の一部分を貫くことになる。
【００８４】
また、溝Ｄ１は、少なくとも弾性部１１の長手方向における右側の端部から当該長手方向の途中もしくは左側の端部までの範囲において設けられていればよく、溝Ｄ１が消滅する位置はいずれの位置でもよい。したがって、溝Ｄ１は、弾性部１１の例えば左右方向の中腹まで設けられ、その左側には設けられなくてもよい。
【００８５】
また、溝Ｄ２は、弾性部１１の長手方向における右側の端部から左側の端部に向かって徐々に深さが浅くなっているものとしたが、本発明はこれによって限定されるものではない。
【００８６】
したがって、溝Ｄ２は、上述の長手方向の全域において同一サイズの断面形状を有するものであってもよい。すなわち、この場合、溝Ｄ２は弾性部１１の長手方向における下面の一部分を貫くことになる。
【００８７】
また、溝Ｄ２は、少なくとも弾性部１１の長手方向における右側の端部から当該長手方向の途中もしくは左側の端部までの範囲において設けられていればよく、溝Ｄ２が消滅する位置はいずれの位置でもよい。したがって、溝Ｄ２は、弾性部１１の例えば左右方向の中腹まで設けられ、その左側には設けられなくてもよい。
【００８８】
また、溝Ｄ２は、少なくとも弾性部１１の長手方向に垂直な方向、すなわち図１における幅方向における所定の範囲内において設けられていればよく、幅方向の全域に渡り設けられていなくてもよい。したがって、溝Ｄ２として、図１に示したものよりもその幅が狭い溝が設けられていてもよい。
【００８９】
また、弾性部１１は、インテグラルスキンフォーム成形により成形されるものとしたが、本発明はこれによって限定されるものではない。したがって、弾性部１１は、その他のウレタンフォームの成形方法が用いられてもよい。
【００９０】
また、弾性部１１はウレタンフォームからできているものとしたが、本発明はこれによって限定されるものではなく、弾性部１１はウレタンフォーム以外の弾性素材で作られていてもよい。
【００９１】
また、弾性部１１の表面はシボ加工がなされているものとしたが、本発明はこれによって限定されるものではなく、シボ加工は無くともよい。
【００９２】
また、弾性部の高さは例えば７６ミリメートルであり、長手方向と垂直な方向の幅は例えば１４０ミリメートルであり、当該長手方向の長さは例えば８００ミリメートルであるものとしたが、本発明はこれによって限定されるものではなく、ユーザの身体の大きさ等に応じて、その他の様々な数値が採用され得る。
【００９３】
また、上述した実施例群においては、弾性部１１における各角部が円弧曲線形状を描くように丸められているが、本発明はこれによって限定されるものではなく、その他の形状が採用されてもよい。
【００９４】
また、ユーザの身体の形状はユーザ毎に異なるため、特定のユーザにフィットするような形状およびサイズの健康用具１および健康用具２を使用することが望ましい。例えば、図５は、健康用具１とは異なる形状を有する健康用具の左側面図および右側面図を示している。このような形状を有する健康用具も、本発明の技術的思想の範囲内に含まれる。
【００９５】
また、上述した健康用具１および健康用具２の使用方法は、あくまでも一例であって、その他のいかなる方法によって使用されてもよい。例えば、体操もしくは運動ということではなくて、ただ単にユーザが本発明にかかる健康用具の上に仰向けに寝そべってもよい。
【００９６】
また、健康用具３の各構成要素を特定する数値、形状、位置などはあくまでも一例であって、特に問題がなければその他の数値、形状、位置などが用いられてもよい。
【産業上の利用可能性】
【００９７】
本発明の健康用具は、ヨガ、整体、カイロプラクティック、ストレッチなどの様々な運動に適用可能であり、また脊椎などに問題を抱える患者などのための運動療法もしくはリハビリテーションなどとして、医療分野にも活用されることが期待される。したがって、大量に製造・販売され、いわゆる製造業や、小売業などのサービス業において利用可能である。
【符号の説明】
【００９８】
１…健康用具、１１…弾性部、２…健康用具、２１…弾性部、３…健康用具、３１…弾性部
【図１】
2013116201.tif 000003
【図２】
2013116201.tif 000004
【図３】
2013116201.tif 000005
【図４】
2013116201.tif 000006
【図５】
2013116201.tif 000007
【図６】
2013116201.tif 000008
【図７】
2013116201.tif 000009